Podtech/llm-jp-corpus-v4-ja_patent huggingface dataset:
(57)【要約】【課題】      卵アレルギーの人が洋菓子を食べられないという問題を解決すること。【解決手段】  鶏卵の代わりに鶉卵を洋菓子の材料として用いることにより、この課題を解決する。【選択図】なし【特許請求の範囲】
【請求項１】
鶏卵の代わりに鶉卵を材料として用いることを特徴とするスポンジケーキ。
【請求項２】
鶏卵の代わりに鶉卵を材料として用いることを特徴とする焼き菓子。
【請求項３】
鶏卵の代わりに鶉卵を材料として用いることを特徴とする生菓子。
【発明の詳細な説明】
【技術分野】
【０００１】  本発明は、洋菓子に関するものであり、洋菓子の材料として通常の鶏卵の代わりに鶉卵を材料として用いることによって、卵アレルギーを持つ人でもアレルギー反応を起こすことなく食することが出来るようにしたものである。
【背景技術】
【０００２】  従来、価格や流通の面で有利なことから洋菓子の材料としては鶏卵が一般的である。
【発明の開示】
【発明が解決しようとする課題】
【０００３】  しかし、鶏卵には体質によってはアレルギー反応を起こす場合があり、そのような体質の人には鶏卵を材料とした洋菓子を食べることが出来ない。本発明は、このような卵アレルギー体質の人が洋菓子を食べられないという問題を解決することを課題とする。
【課題を解決するための手段】
【０００４】  この課題を解決するための請求項１の発明は、通常スポンジケーキの材料として利用する鶏卵の代わりに、同量の鶉卵を材料として用いたスポンジケーキである。通常の鶏卵より人体への親和性を持つ蛋白質を持つ鶉卵を利用することにより、卵アレルギー体質の人のアレルギーが発症する確率を減らすことが出来る。【０００５】  この課題を解決するための請求項２の発明は、通常焼き菓子（クッキー、タルト、マドレーヌ、フィナンセ等）の材料として利用する鶏卵の代わりに、同量の鶉卵を材料として用いた焼き菓子である。通常の鶏卵より人体への親和性を持つ蛋白質を持つ鶉卵を利用することにより、卵アレルギー体質の人のアレルギーが発症する確率を減らすことが出来る。【０００６】  この課題を解決するための請求項３の発明は、生菓子（ムースケーキ、カスタードクリーム等）の材料として利用する鶏卵の代わりに、同量の鶉卵を材料として用いた生菓子である。通常の鶏卵より人体への親和性を持つ蛋白質を持つ鶉卵を利用することにより、卵アレルギー体質の人のアレルギーが発症する確率を減らすことが出来る。
【発明の効果】
【０００７】  本発明により、通常の鶏卵にアレルギーを持つ人でも、大部分の人がアレルギーを気にすることなく洋菓子を食べることが出来る。
【実施例】
【０００８】  以下の材料を準備する。
・スポンジケーキ用直径１８センチ丸型を２台分
・鶉の卵（全卵）：３００ｇ
・グラニュー糖  ：１８０ｇ
・薄力粉        ：１８０ｇ
・無塩バター    ：４０ｇ（湯煎で溶かして溶かしバターにしておく）
注）乳製品にアレルギーがある場合は同量の植物性マーガリン・サラダオイルでも可【０００９】  ボウルに鶉の卵（全卵）と砂糖を入れリボン状になるまで泡立てる。卵の温度が冷蔵庫などで下がり過ぎている時はボウルを湯煎にかけて人肌くらいまで暖めながら泡立てる。これを（１）とする。【００１０】  良くふるっておいた小麦粉を（１）の表面全体に散らしながら入れ、泡立器で生地を底の方から救い上げる様にして混ぜる。大体混ざったら、ゴムベラに持ち替えて底のほうがムラにならないように気をつけて切るように混ぜる。このとき、混ぜすぎて泡をつぶさない様にする。これを（２）とする。【００１１】  ５０℃〜６０℃に暖めておいた溶かしバターに（２）の生地を少量入れて混ぜ合わせ、それを生地の全体にかかるように入れ（２）と同じように混ぜる。このとき、溶かしバターを直接生地に入れると混ざりにくいので注意すること。これを（３）とする。【００１２】  準備しておいた型に（３）を流しいれる。ボウルの最後のほうの生地は泡がつぶれて重くなっているので型の周囲近くに入れる。型の２／３位までの方が焼きやすい、多く入れると時間がかかり中まで火が通りにくい。【００１３】  １８０℃のオーブンで２５〜３０分焼く。こんがり焼き色がつくまで焼き、周囲が少し縮んで中央を押してみて弾力があれば焼き上がり。型からはずして金網の上で冷やす。
【産業上の利用可能性】  本発明に係わる洋菓子は、工業的に量産することも可能であるため、産業上の利用可能性を有する。
(57)【要約】【課題】農業において、スプラウト野菜や葉野菜を栽培したパレットやプランターを、作物が植わったまま刈取機のレールの上を滑り落とすだけで収穫することができる、収穫の刈取り作業の手間と時間を大幅に軽減する刈取機を提供する。【解決手段】勾配をつけた１レールの中間に４切断用の刃物を、６パレットやプランターがくぐり抜けるように配置し、６パレットやプランターを１レール上を滑り落とすだけで、刈取られた作物が５収穫作物ホルダーに受け止められる構造を特徴とする刈取機。【選択図】図２
2008167734.tif 000002
【特許請求の範囲】
【請求項１】
栽培パレットの大きさに合わせて成形されたコの字状のレールに、刈取り用の刃物をＶ字状に取付けることで、作物が植わったままの栽培パレットをレール上を滑らすだけで、容易に作物を刈取り、収穫することができる刈取機。
【発明の詳細な説明】
【技術分野】
【０００１】本発明は、パレットやプランターによるスプラウト野菜や葉物野菜栽培において、収穫に用いる刈取機に関する。
【背景技術】
【０００２】ビニールハウス内で、パレットに栽培したスプラウト野菜やプランターに栽培した葉物野菜を収穫する場合、一般的に手作業で作物を片手で押さえながら他方の手に持った鎌や鋏で切断することにより行われている。このような手作業による収穫作業は、時間と手間がかかるという難点があった。
【発明の開示】
【発明が解決しようとする課題】
【０００３】本考案は上記実情に鑑みてなされたもので、作物が植わったままのパレットやプランターを刈取機のレールの上を滑らせるだけで収穫作業ができる、手間と時間を大幅に軽減することができる刈取機を提供するものである。
【課題を解決するための手段】
【０００４】前述の課題を解決するために、本発明の刈取機はパレットやプランターの大きさに合わせて成形したコの字状のレールを、角度が自在に変えることができるように勾配をつけて配置し、当該レールの中間にレールと平行かつレールとの距離を自在に調整可能な切断用の刃物を取付けることで、レールの上を作物が植わったままのパレットやプランターが滑り落ちるだけで刈取りができる構造を特徴とする刈取機である。
【発明の効果】
【０００５】本発明により、パレットやプランターによるスプラウト野菜や葉物野菜栽培における刈取り収穫作業の手間と時間が大幅に軽減することができる。
【発明を実施するための最良の形態】
【０００６】パレットやプランターの大きさに合わせて成形したコの字状のレールを、角度が自在に変えることができるように勾配をつけて配置し、作物が植わったままのパレットやプランターが自重で滑り落ちるようにする。当該レールの勾配を変えることにより、作物の種類や大きさに合わせてパレットやプランターの滑り落ちる速度を調整することができる。【０００７】当該レールの中間に、パレットやプランターの高さに合わせて自在にレールとの距離を調整できる切断用の刃物をレールと平行に配置する。この構造によって、切断された作物は当該切断用刃物の上に残り、刈取られた作物の根とパレットやプランターが当該切断用刃物の下を通り抜ける。また、この刃物は中央から上が開いたＶ字状に取付け、スプラウト野菜の刈取りにおいてももれなく切断し、容易に刈取り作業ができるようにする。【０００８】当該切断用刃物の上に残った作物は、切断用刃物の後方に配置される刃物と同様の中央から上が開いたＶ字状に成形されたホルダーに保持される。当該ホルダーの形状によって、刈取られた作物は散乱することなく収穫することができる。
【実施例】
【０００９】図１は本発明の刈取機の斜視図で、１のレールは栽培用パレットやプランターの大きさに合わせて成形され、２の勾配調整金物で支持される。３の刃物保持金物は作物の大きさに合わせてレールからの距離が調整でき、パレットやプランターが当該刃物保持金物の下を通り抜けるように固定する。【００１０】図２図３図４は刈取りの模式図で、１のレールの上を６の栽培用パレットを滑り落とすと、図３のように６パレットが図２の４切断用刃物の下をくぐり抜けて下方へ滑り落ちる。この際７スプラウト野菜は４切断用刃物によって切断され、図４に示すように５収穫作物ホルダーに受け止められる。
【図面の簡単な説明】
【００１１】
【図１】本発明の斜視図
【図２】図１の符号ａ−ａ’の断面  刈取り模式図１
【図３】図１の符号ａ−ａ’の断面  刈取り模式図２
【図４】図１の符号ａ−ａ’の断面  刈取り模式図３
【符号の説明】
【００１２】１  レーム
２  レール１の勾配調整金物
３  刃物保持金物
４  切断用刃物
５  収穫作物ホルダー
６  栽培パレット
７  スプラウト野菜
８  刈取られたスプラウト野菜
ａ  図１における断面の起点
ａ’図１における断面の終点
2008167734.tif 000003
【図１】
2008167734.tif 000004
【図２】
2008167734.tif 000005
【図３】
2008167734.tif 000006
【図４】
2008167734.tif 000007
(57)【要約】【課題】食パン３枚切〜１２枚切にした各１斥。【解決手段】ビニール袋に入れテープで密封して急速冷凍する。【特許請求の範囲】
【請求項１】
ビニール袋の中に食パンを入れ急速冷凍をする。
【発明の詳細な説明】
【技術分野】
【０００１】この発明は常に焼きたてのトーストを食べられます。
これがアイスパンである。
【背景技術】
【０００２】従来はアイスにしたパンを食しても味が悪いと思われている。
【発明の開示】
【発明が解決しようとする課題】
【０００３】これは、次のような欠点があった。
イ）防腐剤が入っていない為すぐカビが来る
ロ）味やにおい等、長もちしない。
本発明は以上のような欠点をなくす為になされたものである。
【課題を解決するための手段】
【０００４】大分県由布山の根でとれる湧水とイースト歯をまぜた出来たての食パンを（４枚切〜１２枚切）１斥をビニール袋に入れて完全密封して急速冷凍する。
【発明の効果】
【０００５】このアイスパンをオープンで数分で焼くと全く出来たての味やにいおいのトーストが食べられます。
【図１】
2008167737.tif 000002
【手続補正書】
【提出日】平成19年6月18日(2007.6.18)
【手続補正１】
【補正対象書類名】明細書
【補正対象項目名】全文
【補正方法】変更
【補正の内容】
【発明の詳細な説明】
【技術分野】
【０００１】この発明は常に焼きたてのトーストを食べられます。
これがアイスパンである。
【背景技術】
【０００２】従来はアイスにしたパンを食しても味が悪いと思われている。
【発明の開示】
【発明が解決しようとする課題】
【０００３】これは、次のような欠点があった。
イ）防腐剤が入っていない為カビが来る。
ロ）味やにおい等、長もちしない
本発明は以上のような欠点をなくす為になされたものである。
【課題を解決するための手段】
【０００４】大分県由布山の根こでとれる湧水とイースト菌をまぜた出来たての食パン（４枚切〜１２枚切）を１斥づつビニール袋に入れて完全密封して急速冷凍する。
【発明の効果】
【０００５】このアイスパンをオープントースターで数分で焼くと全く出来たての味やにおいのトーストが食べられます。
【図面の簡単な説明】
【０００６】
【図１】  立体図
(57)【要約】【課題】無菌培養に用いられる無菌培地の製造方法は、高価なオートクレーブやクリーンベンチが通常必要とされ、培養容器には耐熱性の容器が必要であった。そのため、設備のない高等学校などでは無菌培地を必要とするイオテクノロジーの実験は実施困難である。【解決手段】培養容器内に微酸性電解水をいれ、容器の内壁を滅菌する。その後培地を培養容器に入れて、容器内の微酸性電解水により培地を滅菌する。この方法であればオートクレーブなど高価な設備を必要とすることなく無菌培地を製造することができる。【特許請求の範囲】
【請求項１】
培養容器内で殺菌力のある液体を用いて容器内と培地を滅菌することを特徴とする無菌培地の製造方法。
【請求項２】
培養容器内や培地の滅菌に微酸性電解水を用いる無菌培地の製造方法。
【発明の詳細な説明】
【技術分野】
【０００１】  この発明は、細胞や組織などを培養するための無菌培地の製造方法に関するものである。
【背景技術】
【０００２】  従来の無菌培地は、耐熱性の培養容器に培地を入れた後オートクレーブや圧力釜などで高温高圧条件にすることで滅菌するか（例えば、非特許文献１参照。）、培養容器を滅菌した後、別途滅菌した培地をクリーンベンチ内など無菌条件下で注入する必要がある（例えば、特許文献１および特許文献２参照。）。
【特許文献１】  特開平６−２０５６２３号
【特許文献２】  特開２００５−２４５４２４号
【非特許文献１】  「大澤勝次著  植物バイテクの基礎知識」、農文協、１９９４年、ｐ．４６
【発明の開示】
【課題が解決しようとする課題】
【０００３】  しかしながら以上の技術によれば、無菌培地を製造するためには耐熱性の培養容器を用いて、高価で設置場所を必要とするオートクレーブや圧力釜、電子レンジで培地や培養容器を滅菌したり、滅菌した培地を培養容器に分注時に、無菌条件にするクリーンベンチが必要である。また同時に多数の人により作業する場合、これらの設備を設置するための広い場所と設備投資が必要となる。そこで、この発明はオートクレーブやクリーンベンチなど高価で設置場所が必要な機器を利用せず、またペットボトルなど非耐熱性の培養容器を利用可能とした無菌培地の製造方法を提供することを課題とする。
【課題を解決するための手段】
【０００４】  以上の課題を解決するために、第一発明は、培養容器内で殺菌力のある液体を用いて容器内と培地を滅菌することを特徴とする無菌培地製造方法である。また、第二発明は培養容器や培地の滅菌に微酸性電解水を用いる無菌培地製造方法である。
【発明の効果】
【０００５】  第一発明、または第二発明によれば、オートクレーブやクリーンベンチなど高価で、設置場所を必要とする機器を利用しないで、同時に多数の人が無菌培地を製造することができる。また高温高圧条件による滅菌を必要としないので、ペットボトルなど非耐熱性容器を培養容器として利用することが可能となる。
【発明を実施するための最良の形態】
【０００６】  まず、培養容器の内部を滅菌するために、微酸性電解水を培養容器内に注入し、よく振る。その後、調製した培地を培養容器内に注入し、軽く振って培地と微酸性電解水と混合することで、培地を滅菌する。固体培地であれば、培地が固まるのを待ってから、滅菌した種子や組織を植え付け培養する。
ることで、培地を滅菌する。個体培地であれば、培地が固まるのを待ってから滅菌した種子や組織を植えつける。
【実施例１】
【０００７】  次に実施例によって本発明を説明するが、この実施例によって本発明は制限されるものではない。
２００６年９月１日に、通常の２倍の濃度で調製したバイオブリッド植物培地ＭＳ−Ｇ培地（植物無菌培養の代表的な培地）を１０００ミリリットルを製造した。（株）ホクティ社のピアミニで製造した微酸性電解水（有効塩素濃度１７ｐｐｍ程度）を、培養容器として準備した５００ミリリットルのペットボトルに５０ミリリットル入れて、栓をしたのち容器の内壁が十分に滅菌されるように、１０秒程度よく振った。
内部を滅菌したペットボトルの栓をとり、事前に調整しておいた培地を５０ミリリットル入れた。栓をするまえに、微酸性電解水を栓の内側とペットボトルの口に噴霧したのち、栓をしっかりと閉めた。培地が容器の壁面にあまりつかないように注意しながら、ペットボトル内の微酸性電解水と培地をよく混合させて、培地を滅菌すた。このようにして、２０本分のペットボトルを培養容器として無菌培地を製造した。１ヶ月後に雑菌に汚染された培地の培養容器は１本のみであった。
【実施例２】
【０００８】  ２００６年９月１日に、通常の２倍の濃度で調製したハイポネックス培地（通常の濃度は、培地１リットルあたりショ糖３０ｇ、ハイポネックス３ｇ、ゲランガム３ｇを加熱し溶解させた簡易培地）を１０００ミリリットルを製造した。森永乳業社のピュアスターＭＰ２４０Ｅで製造した微酸性電解水（有効塩素濃度３０ｐｐｍ程度）を、培養容器として準備した５００ミリリットルのペットボトルに５０ミリリットル入れて、栓をしたのち容器の内壁が十分に滅菌されるように、１０秒程度よく振り、容器内を滅菌した。
内部を滅菌したペットボトルの栓をとり、事前に調整しておいた培地を５０ミリリットル入れた。栓をするまえに、微酸性電解水を栓の内側とペットボトルの口に噴霧したのち、栓をしっかりと閉めた。培地が容器の壁面にあまりつかないように注意しながらペットボトル内の微酸性電解水と入れた培地をよく混合させて、培地を滅菌すた。このようにして、２０本分のペットボトルを培養容器として無菌培地を製造した。１ヶ月後に雑菌に汚染された培地は１本もなかった。
【産業上の利用可能性】
【０００９】  高等学校などで、組織培養や無菌播種などバイオテクノロジー関する生徒実験を行う場合、廃品のペットボトルなどが利用可能となり、経費を節減できる。また、オートクレーブなど高価な備品や設置場所を必要としないので、多くの学校で生徒実験が可能となる。
また一般家庭においても、微酸性電解水があれば容易に無菌播種など無菌培養を試みることができる。
(57)【要約】      （修正有）【課題】家電製品、ノート型パソコンの過充電による蓄電池へのダメージを防止する。【解決手段】Ｃｄｓホトカプラ１を一つ、オペアンプ２を一つ使用した電子回路を製作する。Ｃｄｓホトカプラ１はセンサーとして利用するので、パソコン側の充電中のＬＥＤ３のみに反応するように工夫する。【選択図】図１
2008167614.tif 000002
【特許請求の範囲】
【請求項１】
家庭用電気製品の過充電防止
【請求項２】
特にノート型パソコンへの適用
【発明の詳細な説明】
【技術分野】
【０００１】本発明は家電製品の過充電による蓄電池へのダメージを与えないための工夫である。
【背景技術】
【０００２】
【特許文献１】申請なし
【非特許文献１】ＮＥＣノートパソコンＬａｖｉｅシリーズ全般
【発明の開示】
【発明が解決しようとする課題】
【０００３】現在のノートパソコンには電源管理機能が付いているが、変圧器からの電源のＯＮ、ＯＦＦまでは対応していない。
【課題を解決するための手段】
【０００４】特にノート型パソコンへの適用。
【発明の効果】
【０００５】現在の製品は過充電防止までは考慮していないようであるが、本発明を適用することにより、蓄電池へのダメージを防止できる。
【発明を実施するための最良の形態】
【０００６】Ｃｄｓホトカプラ一つ、オペアンプＬＦ７４１またはＬＦ３５６一つを使用した電子回路を製作する。
【実施例】
【０００７】Ｃｄｓホトカプラはセンサーとして利用するので、パソコン側の充電中のＬＥＤのみに反応するように工夫する。
【産業上の利用可能性】
【０００８】各家電メーカーがこの回路を組み込んで販売する。
【図面の簡単な説明】
【０００９】
【図１】回路図
【００１０】
【図２】特性グラフ
【符号の説明】
１  Ｃｄｓホトカプラ
２  オペアンプ
３  パソコンの充電中ＬＥＤ
４  Ｃｄｓ抵抗値（キロオーム）
５  ＬＥＤ電流（ミリアンペア）
【図１】
2008167614.tif 000003
【図２】
2008167614.tif 000004
(57)【要約】      （修正有）【課題】永久モーターを作る事。【解決手段】厚さ３ミリの銅板を下にしいてその上に０．３ミリの銅板を４板重ねる銅板の中の電子は間が接続してないので重ねると電気がプラスされるコンデンサーに１０ＭΩの抵抗をつなぐ（５個）そうすると少しの０．３ミリの銅板ですむ抵抗は＋−の電気がつなぐと電気が流れたその原理で少し流れた電気でわずかの流れた電気が少しの０．３ミリの銅板ですむ電気が作用するモーターとつないで理論的に重ねる事で無限に発電で銅板にモーターをつないで発電する。【選択図】図１
2008167637.tif 000002
【特許請求の範囲】
【請求項１】
第１種の永久機関
【発明の詳細な説明】
【技術分野】
【０００１】２次電池を使い厚さ３ミリの銅板と厚さ０．３ミリの銅板を使うその差で発電して銅板を重ねる
【課題を解決するための手段】
【０００２】厚さ３ミリの銅板を下にしいてその上に０．３ミリの銅板を４板重ねる
銅板の中の電子は間が接続してないので重ねると電気がプラスされる
コンデンサーに１０ＭΩの抵抗をつなぐ（５個）そうすると少しの０．３ミリの銅板ですむ
抵抗は＋−の電気がつなぐと電気が流れた
その原理で少し流れた電気でわずかの流れた
電気が少しの０．３ミリの銅板ですむ
電気が作用する
モーターとつないで理論的に重ねる事で無限に発電できる
【発明の効果】
【０００３】２次電池が手にはいらないためモーターの回転だけですがそのとうりになってかなりモーターの回転ははやくなりました
【図面の簡単な説明】
【０００４】
【図１】モーターから電気を流して銅板で発電する
【図１】
2008167637.tif 000003
(57)【要約】【課題】ウリ科の野菜の栽培時に蔓の伸びる方向を一定方向に揃えることができ、従来行っていた蔓の伸びる方向を揃える作業を軽減し、密植可能な、新しい栽培方法を提供すること。【解決手段】ウリ科の野菜苗を土に定植する場合に、地面に対して約３０〜６０度の角度で斜めに定植することを特徴とするウリ科野菜の栽培方法。【選択図】図１
2008167684.tif 000002
【特許請求の範囲】
【請求項１】
ウリ科の野菜苗を土に定植する場合に、地面に対して約３０〜６０度の角度で斜めに定植することを特徴とするウリ科野菜の栽培方法。
【請求項２】
ウリ科の野菜がカボチャ、キュウリ、スイカ、メロン、シロウリおよびユウガオから選ばれる野菜であることを特徴とする請求項１記載のウリ科野菜の栽培方法。
【発明の詳細な説明】
【技術分野】
【０００１】
本発明は、カボチャ、キュウリ、スイカ、メロン等のウリ科野菜の栽培方法に関する。
【背景技術】
【０００２】
一般的に植物の苗の植え付けはほぼ直立した形で植える方法がとられている。一般の野菜の栽培やウリ科野菜の栽培でも同様である。このような従来のウリ科野菜の栽培方法では、定植した後の苗は生育と共に蔓が伸びてくるがその伸びる方向は不特定であるために、畑は乱雑な状態になり、収穫すべき野菜果実の大きさ、外観、食味、品質等が不均一となり商品価値が低下してしまう。このようなことを避けるために、蔓を一定方向に揃える作業が不可欠であり、地這栽培では前かがみの不自然な姿勢での作業を必要とし、ビニールトンネル栽培では、蔓をトンネル内でＵターンさせるなどの面倒な作業を必要としていた。
【０００３】
カボチャの栽培に関しては蔓を誘引して一定方向へ伸ばす工程を含んだ栽培方法が特許文献１に記載されている。また、茎の伸長にあわせてパイプに茎を紐で縛って密植する方法が特許文献２に記載されている。
【０００４】
スイカではトンネル栽培方法の場合に、支持柱に固定した紐又は棒に蔓を絡ませて一定方向に伸ばす方法が特許文献３に記載されている。
【０００５】
【特許文献１】特許第３４５１４２１号公報
【特許文献２】特開平７−１６３２４１号公報
【特許文献３】特開２００６−２０４２８０号公報
【発明の開示】
【発明が解決しようとする課題】
【０００６】
本発明の課題は、ウリ科の野菜の栽培時に蔓の伸びる方向を一定方向に揃えることができ、従来行っていた蔓の伸びる方向を揃える作業を軽減し、密植可能な、新しい栽培方法を提供することである。
【課題を解決するための手段】
【０００７】
本発明者は、ウリ科野菜の苗を地面に対して一定の角度で傾斜して定植することにより、苗の生長点が傾斜して植えたその方向に伸びることを見出し、本発明を完成した。
【０００８】
本発明の特徴は、要約すると以下の通りである。
（１）ウリ科の野菜苗を土に定植する場合に、地面に対して約３０〜６０度の角度で斜めに定植することを特徴とするウリ科野菜の栽培方法。
（２）ウリ科の野菜がカボチャ、キュウリ、スイカ、メロン、シロウリおよびユウガオから選ばれる野菜であることを特徴とする（１）記載のウリ科野菜の栽培方法。
【発明の効果】
【０００９】
蔓の伸長方向が揃い、蔓が絡まりにくくなり、蔓の誘引・整枝作業が容易になる等作業の省力化・軽労働化が実現でき、密植も可能となる。風下に向けて斜めに定植すると茎葉の風害軽減を図ることができる。野菜果実の大きさ、外観、食味、品質の均一化が図れ、栽培が非常にやりやすくなる。農家にとっては非常に省力的な栽培方法である。
【発明を実施するための最良の形態】
【００１０】
ウリ科の野菜の苗を地這栽培する場合に、その苗を定植する方法として図１に示したように斜めに苗を植える。西風や北風が吹く時期には、風下にあたる東から南方向へ向けて蔓が伸びるように斜めに植えると、茎葉の風害が軽減されるのでより好ましい定植方法となる。斜めに植える角度としては図２に示すように、地面に対して約３０度〜６０度の範囲が特に好ましい。通常は約４５度の角度にて定植するのが特に好ましい。このように従来のほぼ直角方向での定植（図４）では、蔓の伸長方向が定まらないのに比べ、斜めに定植する本発明の方法では図３に示したように蔓の伸長方向が定めやすくなり、従来に比べ蔓の誘引・整枝作業がはるかに省力化・軽労働化できるという大きな特徴を有している。また、蔓が絡まりにくく、密植しやすくなる。さらに、野菜の果実として均一な大きさ、外観、食味、品質を実現しやすくなるので、収穫された果実の商品価値を高めることも同時に実現できる従来にはない優れた栽培方法である。
【００１１】
既に品種登録申請中の「ＴＣ２Ａ」というカボチャの品種にこの栽培方法を適用すると極めて良好なカボチャを収穫することができる。
【実施例１】
【００１２】
株式会社渡辺採種場瀬峰研究農場（宮城県栗原市瀬峰諏訪原２２１）において、平成１８年４月に、ビニールトンネル内にウリ科のカボチャを試験として定植した。南北方向の畦に、苗を東方向に向けて、４５度を中心に３０〜６０度の範囲の角度で斜めに傾けて定植した。２００株定植した。結果、その内１９４株がほぼ東方向に蔓が伸長した。そのため、蔓の方向を定め、手入れする誘引・整枝作業が大きく軽減できた。
【産業上の利用可能性】
【００１３】
本発明は農業分野において特につる性の地這栽培される植物に適用できる可能性がある。
【図面の簡単な説明】
【００１４】
【図１】ウリ科の苗が斜めに定植された状態を示す。
【図２】斜めに定植する角度を示す。
【図３】本発明の斜め定植法での蔓の伸び方を示す。
【図４】従来技術により苗が定植された状態を示す。
【図１】
2008167684.tif 000003
【図２】
2008167684.tif 000004
【図３】
2008167684.tif 000005
【図４】
2008167684.tif 000006
(57)【要約】【課題】従来のモータのステータケースは、ケース１と筒状ステータコア２とが互いに別体に設けられているので、部品点数が多くなるとともに組み立て作業の工程が多くなり、製造コストが増大していた。【解決手段】本発明によるモータのステータケースは、ケース１と、前記ケース１内に設けられ、内面にステータ巻線が取り付けられるとともに、内側にロータが挿入される筒状ステータコア２とを備え、前記ケース１と前記筒状ステータコア２とがケイ素鋼で一体に形成された構成である。【選択図】図１
2008167529.tif 000002
【特許請求の範囲】
【請求項１】
ケース（１）と、
前記ケース（１）内に設けられ、内面にステータ巻線が取り付けられるとともに、内側にロータが挿入される筒状ステータコア（２）と
を備え、
前記ケース（１）と前記筒状ステータコア（２）とは、ケイ素鋼で一体に形成されていることを特徴とするモータのステータケース。
【請求項２】
前記ケース（１）と前記筒状ステータコア（２）とには、前記ロータの出力軸が挿通される出力軸孔（３ａ）が設けられた前蓋（３）がさらに一体に形成されていることを特徴とする請求項１記載のモータのステータケース。
【発明の詳細な説明】
【技術分野】
【０００１】
本発明は、モータのステータケースに関し、特に、ケースと筒状ステータコアとをケイ素鋼で一体に形成することで、部品点数を減らすことができ、モータの組み立て作業をより容易にすることができるとともに、製造コストを低減できる新規な改良に関するものである。
【背景技術】
【０００２】
従来用いられていたこの種のモータのステータケースとしては、例えば特許文献１等に示されているものが用いられ、一般的にこの種のモータのステータケースは、図３に示すように構造されている。図３は、従来のモータのステータケースを示す構成図である。図において、中空の角柱形にアルミニウムで形成されたケース１内には、ケイ素鋼で形成された筒状ステータコア２が挿入されている。図示はしていないが、この筒状ステータコア２の内面には複数のステータ巻線が設けられるとともに、該筒状ステータコア２の内側にはロータが挿入される。前記ケース１の一端には、アルミニウムで形成された前蓋３が取り付けられ、この前蓋３にはロータの出力軸が挿通される出力軸孔３ａが設けられている。また、前記ケース１の他端にはインロー１ａが設けられており、このインロー１ａには、前記筒状ステータコア２内にロータが挿入された後に後蓋（図示せず）が取り付けられる。
【０００３】
【特許文献１】特開２００２−２６２５０２号公報
【発明の開示】
【発明が解決しようとする課題】
【０００４】
上記のような従来のモータのステータケースでは、ケース１と筒状ステータコア２とが互いに別体に設けられているので、部品点数が多くなり、組み立て作業の工程が多くなることから製造コストが増大していた。また、ケース１内に筒状ステータコア２を挿入するので、ケース１を大きめに作成する必要があり、モータ全体が大形になっていた。
【課題を解決するための手段】
【０００５】
本発明に係るモータのステータケースは、ケースと、前記ケース内に設けられ、内面にステータ巻線が取り付けられるとともに、内側にロータが挿入される筒状ステータコアとを備え、前記ケースと前記筒状ステータコアとは、ケイ素鋼で一体に形成されている。
また、前記ケースと前記筒状ステータコアとには、前記ロータの出力軸が挿通される出力軸孔が設けられた前蓋がさらに一体に形成されている。
【発明の効果】
【０００６】
本発明のモータのステータケースによれば、前記ケースと前記筒状ステータコアとは、ケイ素鋼で一体に形成されているので、部品点数を減らすことができ、モータの組み立て作業をより容易にすることができるとともに、製造コストを低減できる。また、モータ全体を小形化できる。
また、前記ケースと前記筒状ステータコアとには、前記ロータの出力軸が挿通される出力軸孔が設けられた前蓋がさらに一体に形成されているので、モータの組み立て作業をさらに容易にすることができ、製造コストをより低減できる。
【発明を実施するための最良の形態】
【０００７】
以下、本発明を実施するための最良の形態について、図面を参照して説明する。
実施の形態１．
図１は、本発明の実施の形態１によるモータのステータケースを示す構成図である。尚、従来のものと同一又は同等部分については同一の符号を用いて説明する。図において、角柱形のケース１内には筒状ステータコア２が設けられており、これらケース１と筒状ステータコア２とはケイ素鋼で一体に形成されている。図示はしていないが、筒状ステータコア２の内面には複数のステータ巻線が設けられるとともに、該筒状ステータコア２の内側にはロータが挿入される。前記ケース１の一端には、アルミニウムで形成された前蓋３が取り付けられ、この前蓋３にはロータの出力軸が挿通される出力軸孔３ａが設けられている。また、前記ケース１の他端にはインロー１ａが設けられており、このインロー１ａには前記筒状ステータコア２内にロータが挿入された後に後蓋（図示せず）が取り付けられる。尚、前記ロータとしては、例えば、予め集中巻されて空芯状に形成されたコイルが絶縁ボビンの突起に取り付けられるスロットレスモータのロータや、ロータコアの磁極に巻線が巻回されたロータの構成等が採用される。
【０００８】
実施の形態２．
図２は、本発明の実施の形態２によるモータのステータケースを示す構成図である。実施の形態１では、前蓋３はケース１及び筒状ステータコア２とは別体に設けられていると説明したが、図２に示すように、ケース１及び筒状ステータコア２に前蓋３をケイ素鋼で一体に設けてもよい。
【図面の簡単な説明】
【０００９】
【図１】本発明の実施の形態１によるモータのステータケースを示す構成図である。
【図２】本発明の実施の形態２によるモータのステータケースを示す構成図である。
【図３】従来のモータのステータケースを示す構成図である。
【符号の説明】
【００１０】
１  ケース、２  筒状ステータコア、３  前蓋、３ａ  出力軸孔。
【図１】
2008167529.tif 000003
【図２】
2008167529.tif 000004
【図３】
2008167529.tif 000005
(57)【要約】【課題】  本発明は小サイズの投影を目的とし、場所を選ばない携帯性に優れたプロジェクターである。【解決手段】  本発明は、小サイズの投影を目的にすることで、発熱を低く抑え、冷却にファンではなく放熱板３を使用することにより、本体のコンパクト化が図れ、携帯性が確保できる。また、スピーカー２、充電用バッテリー７及び地上波デジタル放送受信チューナー６を内蔵することで、場所を選ばずどこにでも携帯でき鮮明な画質でテレビ放送を観ることができる。【選択図】図２
2008167410.tif 000002
【特許請求の範囲】
【請求項１】
充電式バッテリー及び地上波デジタル放送受信チューナー内蔵の小型携帯できる投影機能を備えた機器において、本体内部の構成に
（１）  レンズ、
（２）  ＬＥＤ方式投影装置  又は  ＤＭＤ方式投影装置、
（３）  本体を駆動制御する駆動制御装置、
（４）  地上波デジタル放送受信チューナー、
（５）  充電用バッテリー、
以上
上記５部の部品及び装置を含む、地上波デジタル放送受信チューナー内蔵充電式小型携帯プロジェクター。
【発明の詳細な説明】
【技術分野】
【０００１】  本発明は、小サイズの投影を目的とした携帯できるプロジェクターに関するものである。
【背景技術】
【０００２】  通常プロジェクターは大サイズの投影を目的にしている為、発熱温度が高い。発熱を抑える冷却ファンが不可欠であり本体サイズの小型化が図れず、携帯性が悪かった。また、プロジェクターにアナログ受信テレビチューナーを内蔵した製品が無いのは、受信する場所により画面の鮮明性が確保できなかったことが上げられ、テレビ放送がプロジェクターだけで観られない不満があった。
【発明の開示】
【発明が解決しようとする課題】
【０００３】  大画面投影機では発熱の問題などで携帯できるほどの小型化には限度がある。家中好きな場所に持ち運んでの使用や、屋外に持ち出しての使用は携帯性が悪く困難である。また、プロジェクターは何らかの媒体から情報を受けて映像照射する機器が主だが、地上波デジタル放送受信チューナーを内蔵にすることで、電波の受信環境に左右されない画質の鮮明なテレビ放送が観られる。チューナーを本体一体化にすることにより操作性、使用性の向上を図れる。従って、前述の欠点を解決しようとするものである。
【課題を解決するための手段】
【０００４】  本発明は、小サイズの投影を目的にすることで、発熱を低く抑え、冷却にファンではなく放熱板を使用することにより、本体のコンパクト化が図れ、携帯性が確保できる。また、充電式バッテリー及び地上波デジタル放送受信チューナーを内蔵することで、場所を選ばずどこにでも携帯でき鮮明な画質でテレビ放送を観ることができる。
【発明の効果】
【０００５】  本発明のプロジェクターは従来のプロジェクター及びテレビ機器と異なり、使用場所を選ばないため、野外キャンプで使用したり、室内ではキッチンの壁に料理番組を映したり、寝ながら天井に投影してテレビ放送を見たりと生活スタイルを変化させるほどの影響力があると思われる。
【発明を実施するための最良の形態】
【０００６】小サイズの投影を前提とし、小サイズの投影に適した素材及び部品を選定することを条件とする。本発明するプロジェクターの本体内部の基本構造は以下の部品及び装置を組み合わせて構成されている。
１ステレオスピーカー  ２放熱板  ３レンズ  ４ＬＥＤ方式投影装置（又はＤＭＤ方式投影装置）  ５本体を駆動制御する駆動制御装置  ６地上波デジタル放送受信チューナー  ７充電用バッテリー
以上６部の部品及び装置を含むプロジェクターである。（しかし、本体内部の構成に３、４、５、６、７の５部を含んでいたら本考案するプロジェクターである。）
【実施例】
【０００７】  以下添付図面に従って一実施例を説明する。１は本発明するプロジェクター本体、２はステレオ対応のスピーカー、３は銅などの熱をすばやく空気中に放熱する素材で形成された放熱板、４は投影に適したレンズ、５は小型投影に適したＬＥＤ方式投影装置（又はＤＭＤ方式投影装置）及び本体を駆動制御する駆動制御装置、６は地上波デジタル放送受信チューナー、７は本体が長時間稼動できるのに適した充電用バッテリー。
【産業上の利用可能性】
【０００８】  本発明のプロジェクターは今まで考えなかった小サイズの投影を目的としており、新たなライフスタイルの創造かつ、産業分野に大きく貢献できるものと言える。また、近未来に向けた立体投影映像の足がかりになる可能性を秘めている。
【図面の簡単な説明】
【０００９】
【図１】本発明プロジェクターから壁に映像を投影している立面図である。
【図２】本発明プロジェクター本体側面から見た内部部品概略構造の断面である。
【符号の説明】
【００１０】１  本体
２  ステレオスピーカー
３  放熱板
４  レンズ
５  ＬＥＤ方式投影装置（又はＤＭＤ方式投影装置）及び本体を駆動制御する駆動制御装置
６  地上波デジタル放送受信チューナー
７  充電用バッテリー
【図１】
2008167410.tif 000003
【図２】
2008167410.tif 000004
(57)【要約】【課題】コンピュータ用ＴＶ視聴には、高価なチューナーを内蔵したＵＳＢ装置が主流で、アンテナも必要とするため、視聴の際に場所を限定され、高価な装置を必要とした。【解決手段】抜き差し式ＵＳＢ小型デバイスを使用することで、チューナーやアンテナを使用せず、ＵＳＢインターフェイスを備えたコンピュータがあれば、場所を問わずＴＶ視聴を可能にした。【選択図】図１
2008167343.tif 000002
【特許請求の範囲】
【請求項１】
抜き差し式ＵＳＢ小型デバイスを使ってコンピュータでＴＶを見ることを特徴とする方法及びその抜き差し式ＵＳＢ小型デバイス。
【請求項２】
ＴＶチューナーを使わずＴＶを見ることを特徴とする抜き差し式ＵＳＢ小型デバイス。
【発明の詳細な説明】
【技術分野】
【０００１】  この発明は、コンピュータでＴＶをみられる抜き差し式ＵＳＢ小型デバイスに関する。
【背景技術】
【０００２】  従来、ＴＶを見るには高価なチューナーを内蔵したＵＳＢ装置を使用しており、またアンテナを必要とした。
【発明の開示】
【発明が解決しようとする課題】
【０００３】しかしながら、以上の技術によれば、チューナーが高価なため、それを内蔵した装置も高価なものとなり、アンテナを必要とするため、アンテナのない場所では視聴できなかった。そこで、この発明は、簡易に安価で場所を問わず、コンピュータでＴＶを見られる装置や方法を提供することを課題とする。
【課題を解決するための手段】
【０００４】  以上の課題を解決するために、抜き差し式ＵＳＢ小型デバイスは、ＵＳＢインターフェイスを備えたコンピュータに接続されると、当該ＵＳＢデバイスを認識し、あらかじめ内蔵されたプログラムを自動起動し、ＴＶの情報を備えたサーバーに接続することで、ＴＶ視聴を可能にすることを特徴とする。【０００５】  また、チューナーやアンテナを必要としないため、安価になり、さらには、ＵＳＢインターフェイスを備えたコンピュータがあれば、国内、海外を問わず、どこでもこの当該ＵＳＢデバイスがあれば、ＴＶを視聴することができることを特徴とする。
【発明の効果】
【０００６】  本発明によれば、従来高価かつ場所を限定されていたＴＶ視聴が、安価な方法にて簡単に可能となる。
【発明を実施するための最良の形態】
【０００７】この発明の実施形態を、図１に示す。
【図面の簡単な説明】
【０００８】
【図１】この発明の実施形態を示す図である。
【符号の説明】
【０００９】１  抜き差し式ＵＳＢ小型デバイス
２  ＵＳＢインターフェイスを備えたコンピュータ
３  インターネット
４  サーバー
５  放送
【図１】
2008167343.tif 000003
(57)【要約】【課題】  音場が補正された室内で、音楽を聴いている最中に室内の環境が変化するとそのままでは音場は補正されない。【解決手段】  中間信号（１）と出力信号（２）からモデル伝達関数（３）を求め、そのモデル伝達関数（３）を使用し、音場の補正を行う。【選択図】図１
2008167384.tif 000002
【特許請求の範囲】
【請求項１】
中間信号（１）と出力信号（２）を使用し、信号処理により中間信号から出力信号までのモデル伝達関数（３）を求め、そのモデル伝達関数（３）を使用し、信号処理により中間信号から出力信号までの音場を補正することを特徴とするシステム。
【発明の詳細な説明】
【技術分野】
【０００１】この発明は、音場を補正するシステムに関するものである。
【背景技術】
【０００２】  従来では、あらかじめ各スピーカから順にテストトーンなどを鳴らし、マイクで拾う事により測定し伝達関数を求めておき、その伝達関数を使用し、音場を補正するシステムを構成していた。
ヤマハ“ＹＰＡＯ”など。
【非特許文献１】ヤマハＤＳＰ  ＡＶアンプ「ＤＳＰ−Ｚ９」参考ＵＲＬ  ｈｔｔｐ：／／ｗｗｗ．ｙａｍａｈａ．ｃｏ．ｊｐ／ｐｒｏｄｕｃｔ／ａｖ／ｐｒｄ／ｄｓｐａｖ／ｄｓｐ−ｚ９／ｉｎｄｅｘ．ｈｔｍｌ
【発明の開示】
【発明が解決しようとする課題】
【０００３】これは、次のような欠点があった。
スピーカ配置の変更、部屋のレイアウトの変更、受聴位置の変更などによって伝達関数が変化すると、音場を補正するために、各スピーカから順にもう一度テストトーンなどを鳴らしマイクで拾う事により測定し、伝達関数を求めなおす必要があった。また、この補正のため聞いていた音楽などを中断する必要があった。
本発明は、以上のような欠点をなくすためになされたものである。
【課題を解決するための手段】
【０００４】  中間信号（１）と出力信号（２）を観測によって得る。中間信号（１）と出力信号（２）よりモデル伝達関数（３）を求める。そのモデル伝達関数（３）を使用し、音場を補正するシステムを構築する。
【発明の効果】
【０００５】  中間信号（１）と出力信号（２）は常に観測できるので、伝達関数が変化した時でも、音場の補正のため、各スピーカから順にもう一度テストトーンなどを鳴らしマイクで拾う事により測定し、伝達関数を求めなおす手間が省ける。また、伝達関数の変化を補正するために、聞いていた音楽などを中断する必要がなくなる。
【発明を実施するための最良の形態】
【０００６】  音場補正フィルタをスピーカの前段に配置し、受聴位置にマイクを設置する構成である。
環境変化により音場補正フィルタを更新する必要がある場合は、中間信号（１）と出力信号（２）を観測によって得、モデル伝達関数（３）を求め、そのモデル伝達関数（３）を使用し音場補正フィルタの更新を行う。
【実施例】
【０００７】    次に、スピーカ数２、マイク数２で音場を補正するシステムを構築する例を示す。図２はスピーカ数２、マイク数２の場合の構成を示すブロック図である。ここでは、
１．  実際の伝達経路Ｇを通ってマイクで観測された信号と、モデル伝達関数Ｍを通って出力された信号を比較して、ＬＭＳアルゴリズムによって誤差の２乗が最小になるようにする。
２．  マイクで観測された信号と、マイク位置での希望信号を比較して、ＬＭＳアルゴリズムによって誤差の２乗が最小になるようにする。
ことにより、音場の補正を行っている。こうする事により、その音場固有の伝達関数に悪影響されることなく、マイク位置で希望音響信号を聴取することができる。
また、スピーカ数、マイク数が異なる場合も同様なシステムを構築できる。
【図面の簡単な説明】
【０００８】
【図１】  本発明の説明図である。
【図２】  本発明の実施例の構成を示すブロック図である。
【符号の説明】
【０００９】  １  中間信号
２  出力信号
３  モデル伝達関数
４  音場補正フィルタ
【図１】
2008167384.tif 000003
【図２】
2008167384.tif 000004
(57)【要約】【課題】  従来の磁気情報転写機器等に於いては、２つのコイルを用いて情報読取入力側と情報転写出力側の２つの装備とそれぞれの制御回路を必要とし、転写操作手順に於いても、転写情報の取り込みと転写情報の送出を、同時並びに交互に数度繰り返す複雑なアルゴリズムで磁気処理を行う煩雑な磁気情報転写工程を組み込んできた。【解決手段】  本発明は一つのコイルを使用し、単純な直流の断続もしくはパルス波による駆動電流により、磁気情報をＳ極側物体からＮ極側物体に磁気情報転写させるように構成した磁気情報転写処理装置とした。【選択図】図１
2008276903.tif 000002
【特許請求の範囲】
【請求項１】
一つのコイルと前記コイルに電流を供給する主電源回路と、この電流を制御する制御回路と電源供給回路とからなり、且つ前記コイル上部の近接位置に、情報源物体を配置し、前記コイル下部の近接位置に、被転写物体を配置すると共に、前記コイルに通電の際、前記コイル上部磁場がＳ極、前記コイルの下部がＮ極となるよう制御されることを特徴とする磁気情報転写処理装置。
【発明の詳細な説明】
【技術分野】
【０００１】この発明は、情報源となる気体、液体又は固体等の物体の磁気情報を他の気体、液体又は固体等の物体に転写するようにした磁気情報転写処理装置に属する。
【背景技術】
【０００２】  従来からの磁気情報による転写技術としては、磁気情報等の転写技術はすべて、二つのコイルを用い、転写入力側コイル近傍に転写側情報源物体と、被転写出力側コイル近傍に被転写物体をそれぞれ配し、両コイル一定時間同時に通電励起したり、転写コイルに一定時間通電励起して磁気情報を読み取り、被転写側コイルに一定時間通電励起して磁気情報の転写を行う。またこの工程を一ないし複数回繰り返し行ない、磁気情報を転写する。（例えば、特許文献１，２，３参照）
【特許文献１】  特開２００６−０９４８５０号  公報
【特許文献２】  特開平０９−１８２７２７号  公報
【特許文献３】  特開２００１−１４３２６２号  公報
【発明の開示】
【発明が解決しようとする課題】
【０００３】  従来の磁気情報転写機器等に於いては、２つのコイルを用いて情報読取入力側と情報転写出力側の２つの装備とそれぞれの制御回路を必要とし、転写操作手順に於いても転写情報の取り込みと転写情報の送出を、同時並びに交互に数度繰り返す複雑なアルゴリズムで磁気処理を行う煩雑な磁気情報転写工程を組み込んできたという問題がある。【０００４】本発明は、このような問題点に鑑みてなされたものであり、請求項１記載の磁気情報転写処理装置は、二つの入出力転写コイルを１コイル化し、コイルの両側を各入力側及び出力側として使用し、複数個を要した制御回路、電源供給回路、並びに主電源回路を一つに単純化することとした。
【課題を解決するための手段】
【０００５】  請求項１に記載の磁気情報転写処理装置において、転写コイルＳ極側近傍に情報源となる気体、液体及び固体を配置し、同転写コイルＮ極側近傍に被転写物体となる気体、液体及び固体を配する。【０００６】同転写コイルには制御された電流、例えば矩形波やパルス波を印加することにより、単一周波数の波形であってもフーリエ級数展開により低次から高次に渡り広帯域信号成分に分解された電流成分が広帯域磁気変化を生じさせ、Ｓ極情報源物体側からＮ極被転写物体側に向かい広帯域の磁気共鳴を励起させ、入力側の情報源磁気情報が出力側被転写物体に転写される。単一正弦波、あるいは、脈流による駆動では、広帯域に渡る磁気情報転写効果は得られない。【０００７】  １コイル化により、２コイル方式よりも損失が小さく、転写効率が上がる。【０００８】また、転写中、Ｓ極情報源側に置かれた物体の情報は全く変化する事がなく、Ｎ極被転写側に置かれた物体の情報のみ変化する。
【発明の効果】
【０００９】  本発明は、以上の説明にあるように、従来の２コイル式磁気情報転写機器等に見られる各コイル毎に独立して必要とした電源供給回路や制御回路が１コイル分のみになり、複数回繰り返し実施する複雑な磁気情報転写工程が不要になり、転写時間の軽減及び転写効率の向上をもたらし、従来の磁気情報転写機器等では得られない飛躍的な高速転写効果の達成を可能にする磁気情報転写処理装置である。【００１０】また将来必要回路要素の簡素化と小型軽量化、並びに作業効率の向上により、集積回路化による製造コストの低価格化にも寄与する。
【発明を実施するための最良の形態】
【００１１】  以下、本発明の実施の形態を説明する。
図１は、この発明の実施の形態を示す。【００１２】  同図においては、起動スイッチ５を入れることにより主電源回路３が制御回路１及び電源供給回路２を起動する。【００１３】  制御回路１より転写コイル４に制御された電流が印加され、転写コイル４の上部が制御されたＳ極、転写コイルの下部が制御されたＮ極の磁力となる。【００１４】  この制御された磁力により、情報源物体６から被転写物体７に磁気情報の転写がなされる。
【図面の簡単な説明】
【００１５】
【図１】本発明の実施の形態に係る構成を示すブロック図であり、磁気情報転写処理装置の全体図である。
【符号の説明】
【００１６】１  制御回路
２  電源供給回路
３  主電源回路
４  転写コイル
５  起動スイッチ
６  情報源物体
７  被転写物体
【図１】
2008276903.tif 000003
(57)【要約】【課題】痴漢等の犯罪被害を減らす。【解決手段】線香の臭いを使った防犯道具であり、線香の匂いを加害者が吸引することにより犯罪意欲の低下を図る。【特許請求の範囲】
【請求項１】
防犯目的の道具に線香の臭いを採用するという方法
【発明の詳細な説明】
【技術分野】
【０００１】  本発明は痴漢等の防犯の為に資する方法である。
【背景技術】
【０００２】  従来の方法では、催涙スプレー等防犯目的の道具も加害者に奪われ使用された場合は被害者の危険が増していた。
【発明の開示】
【発明が解決しようとする課題】
【０００３】  被害者の所有する防犯のための道具が加害者に奪われた場合の危険性を回避する。
【課題を解決するための手段】
【０００４】  防犯道具に線香の臭いを用いる。
【発明の効果】
【０００５】  線香の臭いにて加害者が死や法事等不吉なことを連想することにより士気が低下する。
また、自分自身に臭いをつけることによって危険回避を図ることが可能な為、成功確率が高い。
【発明を実施するための最良の形態】
【０００６】  スプレー式、匂い玉形態
【実施例】
【０００７】  電車内で被害者自身あるいは第三者が線香の匂い玉を足元に落とすことにより加害者の士気の低下を図り他の第三者にも明らかとなる。【０００８】  異性の求めに拒否を示す場合、自分自身にスプレーをかけることにより拒否の意思を示す。
【産業上の利用可能性】